(57)【要約】【課題】スクリーンをガイドレールに案内するガイド部材による異音の発生を防止し得るロールブラインドを提供する。【解決手段】支持ブラケット２に回転可能に支持された巻取軸１からスクリーン３を吊下支持し、スクリーン３の両側縁部をガイドレール４で昇降可能に支持し、スクリーン３をガイドレール４の開口部に案内するガイド部材５，９を備えたロールブラインドにおいて、ガイド部材５，９を支持ブラケット２と別体とした。【選択図】        図１
2004204552.tif 000002
【特許請求の範囲】
【請求項１】
支持ブラケットに回転可能に支持された巻取軸からスクリーンを吊下支持し、前記スクリーンの両側縁部をガイドレールで昇降可能に支持し、前記スクリーンを前記ガイドレールの開口部に案内するガイド部材を備えたロールブラインドにおいて、
前記ガイド部材を前記支持ブラケットと別体とし、該ガイド部材と支持ブラケットとを取付面に別個に取着したことを特徴とするロールブラインド。
【請求項２】
前記スクリーンが摺接するガイド部材の端部には、該ガイド部材と材質の異なる共振防止材を取着したことを特徴とする請求項１記載のロールブラインド。
【請求項３】
前記ガイド部材は、第一のガイド部材と第二のガイド部材とから構成し、前記第二のガイド部材は第一のガイド部材に対し着脱可能とし、前記第一のガイド部材のみを取付面に取着した状態で、前記巻取軸を下方から前記支持ブラケットに取着可能としたことを特徴とする請求項１又は２記載のロールブラインド。
【請求項４】
前記共振防止材を前記第二のガイド部材の下端部に取着したことを特徴とする請求項３記載のロールブラインド。
【請求項５】
前記第一及び第二のガイド部材を金属板で形成し、前記共振防止材を合成樹脂で形成したことを特徴とする請求項４記載のロールブラインド。
【発明の詳細な説明】
【０００１】
【発明の属する技術分野】
この発明は、スクリーンの両側部をガイドレールで案内するロールブラインドに関するものである。
【０００２】
【従来の技術】
ロールブラインドの一種類として、巻取軸から垂下されるスクリーンの両側部をガイドレールで案内しながら昇降するようにしたものがある。
【０００３】
図３に示すロールブラインドでは、巻取軸１から垂下されるスクリーン３の両側部がガイドレール４に案内される。この構成では、スクリーン３がガイドレール４の上端に対し斜め方向に挿入されるとともに、スクリーン３の昇降にともなって巻取軸１の巻取径が変化することから、スクリーン３がガイドレール４の上端に擦れて傷み易いという問題点がある。
【０００４】
また、巻取軸の両端を回転可能に支持する支持ブラケットに、スクリーンをガイドレールに案内するガイド部材を取着すると、スクリーンをガイドレールに対し真上から案内することができる。
【０００５】
ところが、巻取軸の回転による支持ブラケットの振動と、スクリーンとの摩擦によるガイド部材の振動とが共振して、異音が発生する。
特許文献１には、巻取軸の両端を支持するブラケットと、取付面に固定するブラケットとを振動吸収材を介して連結して、ブラケットからの異音の発生を防止する構成が開示されている。
【０００６】
【特許文献１】
特許第３１８１２３１号
【０００７】
【発明が解決しようとする課題】
図３に示す構成では、スクリーン２がガイドレール３の上端に擦れて痛み易いという問題点がある。
【０００８】
また、スクリーンをガイドレールに案内するガイド部材を支持ブラケットに取着すると、スクリーンの昇降操作時に、巻取軸の回転にともなう支持ブラケットの振動と、スクリーンと摩擦するガイド部材の振動とが共振して、異音が発生するという問題点がある。
【０００９】
この発明の目的は、スクリーンをガイドレールに案内するガイド部材による異音の発生を防止し得るロールブラインドを提供することにある。
【００１０】
【課題を解決するための手段】
請求項１では、支持ブラケットに回転可能に支持された巻取軸からスクリーンを吊下支持し、前記スクリーンの両側縁部をガイドレールで昇降可能に支持し、前記スクリーンを前記ガイドレールの開口部に案内するガイド部材を備えたロールブラインドにおいて、前記ガイド部材を前記支持ブラケットと別体とした。
【００１１】
請求項２では、前記スクリーンが摺接するガイド部材の端部には、該ガイド部材と材質の異なる共振防止材を取着した。
請求項３では、前記ガイド部材は、第一のガイド部材と第二のガイド部材とから構成し、前記第二のガイド部材は第一のガイド部材に対し着脱可能とし、前記第一のガイド部材のみを取付面に取着した状態で、前記巻取軸を下方から前記支持ブラケットに取着可能とした。
【００１２】
請求項４では、前記共振防止部材を前記第二のガイド部材の下端部に取着した。
請求項５では、前記第一及び第二のガイド部材を金属板で形成し、前記共振防止部材を合成樹脂で形成した。
【００１３】
【発明の実施の形態】
以下、この発明を具体化した一実施の形態を図面に従って説明する。図１に示すロールブラインドは、巻取軸１の両端が支持ブラケット２に回転可能に支持され、その巻取軸１からスクリーン３が垂下されている。そして、巻取軸１がスクリーン巻取り方向に回転されると、スクリーン３が引き上げられ、巻取軸１がスクリーン巻戻し方向に回転されると、スクリーン３が下降する。
【００１４】
前記巻取軸１の下方及び前記スクリーン３の両側において、ガイドレール４が壁面等に固定され、そのガイドレール４にスクリーン３の両側縁部が上下動可能に支持されている。
【００１５】
従って、スクリーン３はその両側縁部がガイドレール４に支持された状態で昇降される。
前記ガイドレール４は、その開口部が前記巻取軸１の外周面の後縁の真下に位置するように設置されている。
【００１６】
前記巻取軸１の後方には、前記支持ブラケット２と別体の第一のガイド部材５が同巻取軸１の全長に亘って配設される。その第一のガイド部材５は金属板をアングル状に折り曲げて形成され、その上辺６は、前記支持ブラケット２の後方において、同支持ブラケット２と共通の取付面にネジ７で固定される。
【００１７】
従って、支持ブラケット２と第一のガイド部材５は、共通の取付面にそれぞれ別個にネジで固定される。
前記第一のガイド部材５は、上辺６の後端から下方に延びる側辺８が、前記巻取軸１の後方を覆うように位置し、その下端に第二のガイド部材９がネジ１０で取着されている。この第二のガイド部材９は、第一のガイド部材５と同様に巻取軸１の全長に亘って配設される。
【００１８】
前記第二のガイド部材９は、前記巻取軸１に巻き取られたスクリーンの外周面に沿うように、巻取軸１側に向かって斜め下方に延設され、その下端部は前記ガイドレール４の開口部の上方まで延設されている。
【００１９】
前記第二のガイド部材９の下端部に置いて、前記巻取軸１側の側面には合成樹脂で形成された第三のガイド部材（共振防止材）１１が嵌着されている。
そして、巻取軸１から垂下されるスクリーン３は、第三のガイド部材１１を経て、前記ガイドレール４に案内される。
【００２０】
上記のように構成されたロールブラインドでは、スクリーンの昇降操作時には、巻取軸１から垂下されるスクリーン３が第二のガイド部材９により巻取軸１の軸心方向に案内されて、ガイドレール４の開口部に真上から案内される。
【００２１】
また、スクリーン３がほぼ巻戻された状態では、巻取軸１からガイドレール４に向かって真下へ案内される。
このような昇降操作時に、スクリーン３は第三のガイド部材１１に摺動しながら昇降され、第三のガイド部材１１に振動が発生することがある。しかし、第三のガイド部材１１と第二のガイド部材９とは材質が異なるため、その固有振動数が異なる。
【００２２】
従って、第三のガイド部材１１の振動は、第二のガイド部材９には伝達され難い。
また、このロールブラインドの設置時には、まず支持ブラケット及び第一のガイド部材５を取付面に固定する。次いで、図２に示すように、スクリーン３を巻着した巻取軸１を下方から支持ブラケット２間に持ち上げて、支持ブラケット２間に回動可能に取着する。
【００２３】
次いで、あらかじめ第三のガイド部材１１を嵌着した第二のガイド部材９をネジ１０で第一のガイド部材５に取着する。
上記のように構成されたロールブラインドでは、次に示す作用効果を得ることができる。
（１）第一〜第三のガイド部材５，９，１１によりスクリーン３をガイドレール４の開口部に常に真上から案内することができる。従って、スクリーン３とガイドレール４の開口縁との擦れによるスクリーン３の損傷を未然に防止することができる。
（２）第一〜第三のガイド部材５，９，１１を支持ブラケット２と別体とし、取付面にそれぞれ別個に取付ける構成としたので、第一〜第三のガイド部材５，９，１１と支持ブラケット２との間には、固有振動数の異なる取付面が介在されることになる。
【００２４】
すると、巻取軸１の回転にともなう支持ブラケット２の振動は、第一〜第三のガイド部材５，９，１１には伝達され難く、巻取軸１の回転にともなう支持ブラケット２の振動と、スクリーン３の昇降にともなう第一〜第三のガイド部材５，９，１１の振動との共振を防止することができる。従って、スクリーン３の昇降操作時の異音の発生を未然に防止することができる。
（３）第三のガイド部材１１は、第二のガイド部材９とは異なる材質で形成したので、スクリーン３と摺接する第三のガイド部材１１と、第二及び第一のガイド部材９，５との共振を防止することができる。
（４）設置時には、取付面に支持ブラケット２及び第一のガイド部材５を取着した状態で、巻取軸１を真下から支持ブラケット２間に持ち上げて取着し、その後第二及び第三のガイド部材９，１１を第一のガイド部材５に取着する。
【００２５】
従って、巻取軸１を真下から持ち上げて取着することができるので、このロールブラインドがブラインドボックス内に設置される場合等、狭いスペースに設置される場合に、設置作業を容易に行うことができる。
【００２６】
上記実施の形態は、次に示すように変更することもできる。
・第二のガイド部材９は、ネジ１０以外の手段で第一のガイド部材５に取着してもよい。
・第三のガイド部材１１の材質は、合成樹脂に限定されるものではなく、第二のガイド部材９の材質と固有振動数の異なる材質であればよい。
・ガイドレール４の開口部及び第二のガイド部材９の下端部は、巻取軸１の後縁より巻取軸１の軸心側に位置させれば、スクリーン３を第二の及び第三のガイド部材９，１１で真上からガイドレール４の開口部に案内することができる。
【００２７】
【発明の効果】
以上詳述したように、この発明はスクリーンをガイドレールに案内するガイド部材による異音の発生を防止し得るロールブラインドのスクリーン案内装置を提供することができる。
【図面の簡単な説明】
【図１】一実施の形態のロールブラインドを示す側面図である。
【図２】ロールブラインドの設置作業を示す説明図である。
【図３】従来例を示す側面図である。
【符号の説明】
１          巻取軸
２          支持ブラケット
３          スクリーン
４          ガイドレール
５          ガイド部材（第一のガイド部材）
９          ガイド部材（第二のガイド部材）
【図１】
2004204552.tif 000003
【図２】
2004204552.tif 000004
【図３】
2004204552.tif 000005